(57)【要約】【課題】  簡易な構造で断熱性を向上させることができ、外観にも優れ、部材紛失の虞がない開口部装置を提供する。【解決手段】  縦枠、横枠を有して建物躯体の開口部に沿って設けられる枠体、枠体の縦枠の少なくとも一部を覆う室内側樹脂縦枠、縦枠に取り付けられる縦枠カバー、及び、枠体の見付け方向内側に配置されるとともに、ガラスパネルと框とを有する障子、を備え、縦枠には、少なくとも一つの固定部材と、縦枠カバーを係合するための係合片とが備えられ、縦枠カバーには、見込み方向室外側に設けられる室外側片と、室外側片に設けられて係合片に係合される被係合部と、室外側片から見込み方向に延びる被覆片と、が備えられ、固定部材が、被覆片により室内視で隠蔽され、且つ、框のうち戸先框の少なくとも一部が、室外側片により室内視で隠蔽されている、開口部装置とする。【選択図】図４
2010270525.tif 000002
【特許請求の範囲】
【請求項１】
縦枠、横枠を有して建物躯体の開口部に沿って設けられる枠体、該枠体の前記縦枠の少なくとも一部を覆う室内側樹脂縦枠、前記縦枠に取り付けられる縦枠カバー、及び、前記枠体の見付け方向内側に配置されるとともに、ガラスパネルと框とを有する障子、を備え、
前記縦枠には、少なくとも一つの固定部材と、前記縦枠カバーを係合するための係合片とが備えられ、
前記縦枠カバーには、見込み方向室外側に設けられる室外側片と、該室外側片に設けられて前記係合片に係合される被係合部と、前記室外側片から見込み方向に延びる被覆片と、が備えられ、
前記固定部材が、前記被覆片により室内視で隠蔽され、且つ、開口部装置閉鎖の姿勢で、前記框のうち戸先框の少なくとも一部が、前記室外側片により室内視で隠蔽されている、開口部装置。
【請求項２】
前記被係合部が前記係合片に係合され、該係合片を軸として前記縦枠カバーが回動可能とされている、請求項１に記載の開口部装置。
【請求項３】
前記室内側樹脂縦枠が、前記縦枠に前記固定部材により固定されている、請求項１又は２に記載の開口部装置。
【請求項４】
前記室外側片が、開口部装置閉鎖の姿勢で、前記戸先框よりも見付け方向内側に延びている、請求項１〜３のいずれかに記載の開口部装置。
【請求項５】
前記框と前記ガラスパネルとが接着手段により接着されている、請求項１〜４のいずれかに記載の開口部装置。
【請求項６】
前記縦枠カバーの前記室外側片の室外側面が前記縦枠に接触するまで、前記係合片を軸として前記縦枠カバーが回動可能とされており、且つ、該縦枠カバーの回動により、前記縦枠カバーの室外側片の前記室外側面が前記縦枠に接触している姿勢においても、前記被係合部が前記係合片に係合されている、請求項２〜５のいずれかに記載の開口部装置。
【発明の詳細な説明】
【技術分野】
【０００１】
本発明は住宅や公共施設等の建物開口部に好適に用いられる開口部装置に関する。
【背景技術】
【０００２】
建物開口部に備えられる開口部装置は、建物開口部の縁に沿って配置される枠体と、該枠体の内側に設けられる障子とを備えており、さらに障子はガラスパネルと該ガラスパネルの四辺に沿って配置される框とを有している。
【０００３】
建物開口部の縁に沿って配置される枠体を建物開口部に取り付ける際は、ネジ等の固定部材が用いられる。また、枠体は、アルミ等の金属からなる場合が多く、ここから室内外に熱が伝わりやすいので、特許文献１に記載されているように、枠体の室内側を、断熱性の樹脂部材で覆う場合がある。樹脂部材はネジ等の固定部材により枠体に固定され、当該枠体が樹脂部材に覆われることで、室内外の熱伝達が抑制され、断熱性が向上される。
【０００４】
一方、ガラスパネルへの框の取り付けは、断面形状略コ字状である框の該コ字状の内側にガラスパネルの端部を差し込むようにして行われるが、従来においては、特許文献１に記載されているように、グレージングチャンネルを介していた。当該グレージングチャンネルにより框をガラスパネルに安定して取り付けできるとされている。
【先行技術文献】
【特許文献】
【０００５】
【特許文献１】特開２００６−１８８９２８号公報
【発明の概要】
【発明が解決しようとする課題】
【０００６】
枠体を建物開口部に固定する場合、ネジ等の固定部材が用いられる。また、枠体の断熱確保のため、樹脂部材を枠体に取り付ける場合にも、樹脂部材はネジ等の固定部材により固定される。従って、これら固定部材が室内視において露出することとなり、外観に悪影響を及ぼす。これに対し、特許文献１の図２に示されるように、特許文献１においては、露出した固定部材を室内視で隠蔽するため、別途カバー部材３２ｇを取り付けて、固定部材を隠蔽している。しかしながら、このようなカバー部材３２ｇを別途設けると、室内視で、当該カバー部材３２ｇに起因する二本線が縦枠長手方向に沿って表れてしまう。また、カバー部材３２ｇが別体とされており、且つ、部材自体の大きさが、他の部材と比較して小さく、施工や修理の際、作業中に紛失してしまう虞がある。
【０００７】
また、特許文献１のように框の取り付けにグレージングチャンネルやビード材を用いると、その分框を太くせざるを得ない。開口部装置の室内外の熱伝達は、断熱性の高いガラスパネル部分よりも、熱伝達されやすい框を介してなされる割合が大きいため、框を太くすると開口部装置の断熱性を確保し難くなる。そのため、框を介しての室内外の熱伝達を抑え、断熱性が向上された開口部装置が求められている。
【０００８】
そこで、本発明は上記問題点に鑑み、簡易な構造で断熱性を向上させることができ、外観にも優れ、部材紛失の虞がない開口部装置を提供することを課題とする。
【課題を解決するための手段】
【０００９】
以下、本発明について説明する。尚、本発明の理解を容易にするために添付図面の参照符号を括弧書きにて付記するが、それにより本発明が図示の形態に限定されるものではない。また、本明細書において、「見付け方向」とは、建物開口部に備えられる開口部装置の開口面に沿った方向を意味する。また、「見込み方向」とは開口部装置の開口面と直交する方向（厚さ方向）を意味し、「見込み方向室外側」とは、開口部装置が建物に取り付けられた姿勢で室外側となる方向であり、「見込み方向室内側」は、開口部装置が建物に取り付けられた姿勢で室内側となる方向である。
【００１０】
本発明は、縦枠（１４、１５）、横枠（１１、１２）を有して建物躯体の開口部に沿って設けられる枠体（１０）、枠体の縦枠の少なくとも一部を覆う室内側樹脂縦枠（５０、５１）、枠体の縦枠に取り付けられる縦枠カバー（７０）、及び、枠体の見付け方向内側に配置されるとともに、ガラスパネル（２５、３５）と框（２１〜２４、３１〜３４）とを有する障子（２０、３０）、を備え、縦枠には、少なくとも一つの固定部材（６０）と、縦枠カバーを係合するための係合片（１４ｆ）とが備えられ、縦枠カバーには、見込み方向室外側に設けられる室外側片（７０ｃ）と、当該室外側片に設けられて係合片に係合される被係合部（７０ｋ）と、室外側片から見込み方向に延びる被覆片（７０ａ）と、が備えられ、固定部材が、被覆片により室内視で隠蔽され、且つ、開口部装置閉鎖の姿勢で、框のうち戸先框の少なくとも一部が、室外側片により室内視で隠蔽されている、開口部装置（１００）を提供して前記課題を解決するものである。
【００１１】
本発明において、被係合部（７０ｋ）が係合片（１４ｆ）に係合され、係合片を軸として縦枠カバー（７０）が回動可能とされていることが好ましい。このようにすれば、縦枠カバーを回動させて、縦枠カバーを縦枠へと容易に取り付けることが可能となり、且つ、縦枠カバーの紛失を防止することができるからである。
【００１２】
本発明において、室内側樹脂縦枠（５０、５１）が、縦枠（１４、１５）に固定部材（６０）により固定されていることが好ましい。室内側樹脂縦枠の固定と、縦枠の固定とを一の固定部材により兼用し、且つ、当該一の固定部材を縦枠カバーにより隠蔽することが可能だからである。従って、製造コストを抑え、外観に優れる開口部装置とすることができる。
【００１３】
本発明において、室外側片（７０ｃ）が、開口部装置閉鎖の姿勢で、戸先框（２３）よりも見付け方向内側に延びていることが好ましい。このことで、戸先框全体を室内視で隠蔽することができ、框を介しての室内外の熱移動が抑制されるため、断熱性に優れる開口部装置とすることができるからである。また、戸先框が外観に与える影響が抑えられるため、シンプルで外観に優れる開口部装置とすることもできる。
【００１４】
本発明において、框（２１〜２４、３１〜３４）とガラスパネル（２５、３５）とが接着手段（２８、３８）により接着されていることが好ましい。框とガラスパネルとが接着手段により接着されることで、グレージングチャンネル等の部材を設ける必要がなくなるので、框を小型化することができ、採光性、断熱性に優れる開口部装置とすることができるからである。
【００１５】
本発明において、縦枠カバー（７０）の室外側片（７０ｃ）の室外側面が縦枠（１４）に接触するまで、係合片（１４ｆ）を軸として縦枠カバーが回動可能とされており、且つ、縦枠カバーの回動により縦枠カバーの室外側片の室外側面が縦枠に接触している姿勢においても、被係合部（７０ｋ）が係合片に係合されていることが好ましい。これにより、例えば、縦枠カバー内部のメンテナンス時において、縦枠カバーを完全に取り外すことなく、縦枠カバーを縦枠に引っ掛けた状態で作業を行うことができる。また、縦枠カバーが容易に脱落してしまうことがないため、現場作業時の縦枠カバーの紛失を防ぐことができる。
【発明の効果】
【００１６】
本発明によれば、縦枠カバーが枠体の縦枠に取り付けられて、枠体の固定部材や、戸先框の少なくとも一部が隠蔽される。従って、外観、断熱性に優れる開口部装置とすることができる。また、固定部材を隠蔽するために別途小さな部材を用意する必要がないので、部材の紛失を防ぐことができる。以上のことから、本発明によれば、簡易な構造で断熱性を向上させることができ、外観にも優れ、部材紛失の虞がない開口部装置を提供することが可能となる。
【００１７】
本発明のこのような作用及び利得は、次に説明する発明を実施するための最良の形態から明らかにされる。尚、下記実施形態においては、外障子と内障子とを有する、引き違いの開口部装置について説明するが、本発明はこれに限定されず、枠体に固定部材を備える開口部装置であれば、適用することができる。
【図面の簡単な説明】
【００１８】
【図１】開口部装置の室内正面視における概略図である。
【図２】開口部装置の縦断面を概略的に示す図である。
【図３】開口部装置の縦断面を概略的に示す図である。
【図４】開口部装置の横断面を概略的に示す図である。
【図５】縦枠カバー７０の形状について説明するための図である。
【図６】縦枠カバー７０の取り付けについて説明するための図である。
【図７】従来の構成を備える開口部装置と、開口部装置１００との外観を概略的に示す図である。
【図８】縦枠カバー７０の取り外しについて説明するための図である。
【発明を実施するための形態】
【００１９】
以下本発明を図面に示す実施形態に基づき説明する。図１は、一実施形態にかかる開口部装置１００が建物開口部に取り付けられた姿勢における、当該開口部装置１００の室内視正面図である。図１において開口部装置１００は両戸先側が開放された姿勢にある。図２は、図１にＩＩ−ＩＩで示した線（垂直方向）に沿った断面図である。図３は、図１にＩＩＩ−ＩＩＩで示した線（垂直方向）に沿った断面図である。図４は、図１にＩＶ−ＩＶで示した線（水平方向）に沿った断面図である。但し、図４においては、開口部装置１００が閉鎖された姿勢にある。図５は、縦枠カバー７０について説明するための図である。図６は、縦枠カバー７０の縦枠１４への取り付けについて説明するための図である。図が煩雑となるのを防ぐため、いずれの図においても、部材の一部を省略して示している。
【００２０】
開口部装置１００は、建物開口部の四辺に沿って配置される枠体１０、及び当該枠体１０の見付け方向内側に具備されて引戸式に開閉する障子２０、３０を備えている。また、施錠装置４０が設けられ、障子２０、３０の施錠及び開錠を可能としている。さらに、障子２０、３０の戸先框２３、３３には、引手２７が備えられ、ここに手指が引っ掛けられて障子２０、３０が見付け方向にスライド可能とされている。
【００２１】
＜枠体１０＞
枠体１０は、上下のそれぞれに水平に配置される長尺部材である横枠１１、１２、及び当該横枠１１、１２の端部を渡して設けられる長尺部材である縦枠１４、１５を備え、これらが枠状に形成されている。
【００２２】
横枠１１は、枠体１０の上横枠に相当する枠材である。横枠１１は、図２及び図３に表される断面において、片１１ａ〜１１ｇを有して、紙面奥手前に延在している。横枠１１は、見込み方向に延びる片１１ａを備えており、当該片１１ａの見込み方向室内側端部には、見付け方向内側に延びる片１１ｂが設けられている。また、片１１ｂの見込み方向室内側面からは、見込み方向室内側に延びる片１１ｃが設けられている。一方、片１１ａの見付け方向内側面において、見付け方向室内側に延びる片１１ｄ〜１１ｆが設けられており、これら片１１ｄ〜１１ｆは、障子２０、３０や任意に備えられる網戸（不図示）をスライドさせるための上部レールとして機能する。また片１１ａの見付け方向外側面において、見付け方向外側に延びる片１１ｇが備えられ、横枠１１を建物躯体に取り付け可能としている。
【００２３】
横枠１２は、枠体１０の下横枠に相当する枠材である。横枠１２は、図２及び図３に表される断面において、片１２ａ〜１２ｋを有して、紙面奥手前に延在している。横枠１２には、見込み方向に延びる片１２ａが備えられている。当該片１２ａは、見込み方向室外側端部において見付け方向内側に延びる片１２ｂ、見付け方向外側に延びる片１２ｃを備え、見込み方向室内側端部において見付け方向内側に延びる片１２ｄ、見付け方向外側に延びる片１２ｅを備えている。当該片１２ｄと片１２ｅとの間には、見込み方向室内側に延びる片１２ｆが備えられている。また、片１２ａの見付け方向内側面からは、見付け方向内側に向かって片１２ｇ、１２ｈが延びている。一方、片１２ａの見付け方向外側面からは、見付け方向外側に向かって片１２ｊが延びている。また、片１２ｃと片１２ｊとを渡すように、片１２ｋが設けられている。片１２ｂの見付け方向内側端部は、任意に備えられる網戸（不図示）をスライドさせるための下部レールとして機能する。また、片１２ｇ、１２ｈに、障子２０、３０の下横框２２、３２内に備えられた戸車２８、３８が載置されて、障子２０、３０をスライド可能としている。さらに、片１２ａ、１２ｃ、１２ｊ、１２ｋによって囲まれる空間は中空とされており、例えば当該空間を介して、下横枠の排水がなされ得る。排水のため、片１２ａ、１２ｃ等に、排水口や排水弁が設けられていてもよい。
【００２４】
縦枠１４、１５は、図４に示される断面において、片１４ａ〜１４ｅ、１５ａ〜１５ｅを有して、紙面奥手前に延在している。縦枠１４、１５は、見込み方向に延びる片１４ａ、１５ａを備えており、縦枠１４、１５の見込み方向室内側端部、及び見込み方向室外側端部には、片１４ｂ、１４ｅ、１５ｂ、１５ｅが備えられている。また、縦枠１４、１５の見付け方向内側面からは、見付け方向内側に延びる片１４ｃ、１５ｃが備えられており、当該片１４ｃ、１５ｃと、障子２０、３０の戸先框２３、３３に備えられるフィンとによって、縦縁の水密気密が保たれている。さらに、縦枠１４の見付け方向内側面からは、係合片１４ｆが延びており、当該係合片１４ｆが後述する縦枠カバー７０の被係合部７０ｋ（図５参照）へと挿入されて、ここを軸として回動可能に、縦枠カバー７０が縦枠１４に取り付けられる。一方、縦枠１４、１５の見付け方向外側面からは、見付け方向外側に延びる片１４ｄ、１５ｄが備えられ、縦枠１４、１５の建物躯体への固定を可能としている。
【００２５】
＜室内側樹脂縦枠５０、５１＞
縦枠１４、１５の見付け方向内側面には、見込み方向室内側に、室内側樹脂縦枠５０、５１が取り付けられている。室内側樹脂縦枠５０、５１は、図４に示される断面において、見付け方向に延びる片５０ａ、５１ａと、当該片５０ａ、５１ａの見付け方向外側端部から、見込み方向室外側に延びる片５０ｂ、５１ｂと、片５０ａ、５１ａの見付け方向内側端部から、見込み方向室内側に延びる片５０ｃ、５１ｃとを有して、紙面奥手前に延在している。このうち、片５０ｂ、５１ｂが、ネジ等の固定部材６０、６１により、縦枠１４、１５に取り付けられて、室内側樹脂縦枠５０、５１が縦枠１４、１５に固定されている。室内側樹脂縦枠５０、５１により縦枠１４、１５の室内側表面が覆われることで、縦枠１４、１５の室内側露出部分が縮小され、縦枠１４、１５を介しての室内外の熱伝達が抑制される。従って、断熱性に優れる開口部装置１００とすることができる。また、片５０ａの見込み方向室外側面には、突起５０ｄが設けられており、ここに縦枠カバー７０の爪部７０ｄ（図５参照）が掛止されて、縦枠カバー７０の室内側が固定される。さらに、片５０ａ、５１ａの見込み方向室内側面には、掛止部５０ｅ、５１ｅが設けられ、縦枠１４、１５の片１４ｅ、１５ｅに掛止されている。
【００２６】
＜縦枠カバー７０＞
縦枠カバー７０は、縦枠１４の見付け方向内側であって室内側樹脂縦枠５０の見込み方向室外側に取り付けられ、後述する戸先框２３を室内視で隠蔽するとともに、固定部材６０を隠蔽する部材である。縦枠カバー７０の構成及び取り付け方法については、後で詳細に説明する。
【００２７】
＜障子２０＞
障子２０は、外障子に相当する障子で、上横框２１、下横框２２、戸先框２３、外召し合わせ框２４、ガラスパネル２５、及び引手２７が備えられている。
【００２８】
（上横框２１）
上横框２１は、図２に表される断面において、見込み方向室内側に面する室内側片２１ａと、見込み方向室外側に面する室外側片２１ｂと、ガラスパネル２５の外縁を覆うように略コ字状に形成されたコ字状被覆片２１ｃとを有して、紙面奥手前に延在している。また、コ字状被覆片２１ｃとガラスパネル２５とは接着手段２８を介して直接接着され、上横框２１とガラスパネル２５とが一体とされている。上横框２１とガラスパネル２５とが直接接着されることで、上横框２１の見付け幅を縮小することができ、ガラスパネル２５の採光面積を拡大することができる。また、外観視において框の与える影響が少なくなり、シンプルで外観に優れた開口部装置とすることができる。さらに、ガラスパネル部分をより大きくとることができるので、断熱性に優れる開口部装置とすることができる。
【００２９】
（下横框２２）
下横框２２は、図２で示される断面において、見込み方向室内側に面する室内側片２２ａと、見込み方向室外側に面する室外側片２２ｂと、ガラスパネル２５の外縁を覆うように略コ字状に形成されたコ字状被覆片２２ｃとを有して、紙面奥手前に延在している。また、コ字状被覆片２２ｃとガラスパネル２５とは接着手段２８を介して直接接着され、下横框２２とガラスパネル２５とが一体とされている。下横框２２とガラスパネル２５とが直接接着されることで、下横框２２の見付け幅を縮小することができ、ガラスパネル２５の採光面積を拡大することができる。また、外観視において框の与える影響が少なくなり、シンプルで外観に優れた開口部装置とすることができる。さらに、ガラスパネル部分をより大きくとることができるので、断熱性に優れる開口部装置とすることができる。一方、下横框２２の、片２２ａ〜２２ｃによって囲まれる空間には戸車２８が備えられ、当該戸車２８は、下横枠１２の片１２ｇに載置されることで障子２０がスライド可能とされている。また、片２２ｂの見込み方向室内側面にはフィンが設けられ、下横枠１２の片１２ｇと接することで障子２０下縁の水密気密が保たれている。
【００３０】
（戸先框２３）
戸先框２３は、図４で示される断面において、室内側片２３ａ、室外側片２３ｂ、及び略コ字状に形成されたコ字状被覆片２３ｃを有して、紙面奥手前に延在している。これら片２３ａ〜２３ｃは一体に形成されており、コ字状被覆片２３ｃとガラスパネル２５とが、接着剤等の接着手段２８により直接接着されることで、戸先框２３とガラスパネル２５とが一体とされている。戸先框２３とガラスパネル２５とが直接接着されることで、戸先框２３の見付け幅を縮小することができ、ガラスパネル２５の採光面積を拡大することができる。また、外観視において框の与える影響が少なくなり、シンプルで外観に優れた開口部装置１００とすることができる。戸先框２３の片２３ｂの見込み方向室内側面にはフィンが設けられ、縦枠１４の片１４ｃと接することで障子２０横縁の水密気密が保たれている。また、図１に示されるように、戸先框２３の略中央部には引手２７が設けられ、障子２０を見付け方向に容易にスライド可能としている。
【００３１】
（外召し合わせ框２４）
外召し合わせ框２４は、外召し合わせ部に用いられる縦框である。外召し合わせ框２４は、図４で示される断面において、略矩形状の矩形部２４ａと略コ字状のコ字状被覆片２４ｃとを有して、紙面奥手前に延在している。矩形部２４ａは障子２０の見付け方向外側に面して形成されている。また、矩形部２４ａの見込み方向室内側面には、爪部２４ｅが設けられており、内召し合わせ框３４の爪部３４ｅと係合可能とされている。コ字状被覆片２４ｃは、障子２０において矩形部２４ａの見付け方向内側に形成され、当該コ字状内部にガラスパネル２５の外縁が挿入されている。これら矩形部２４ａ及びコ字状被覆片２４ｃは一体に形成されており、コ字状被覆片２４ｃとガラスパネル２５とが接着剤等の接着手段２８により直接接着されることで、外召し合わせ框２４とガラスパネル２５とが一体とされている。外召し合わせ框２４とガラスパネル２５とが直接接着されることで、外召し合わせ框２４の見付け幅を縮小することができ、ガラスパネル２５の採光面積を拡大することができる。また、外観視において框の与える影響が少なくなり、シンプルで外観に優れた開口部装置とすることができる。また、外召し合わせ框２４の略中央部には施錠装置４０が設けられ、障子２０、３０の施錠及び開錠を可能としている。
【００３２】
（ガラスパネル２５）
ガラスパネル２５は、いわゆる複層ガラスパネルであり、矩形板状である２枚の板ガラスが室内外方向に所定の間隔を有して並列されている。当該２枚の板ガラスの間隙により形成される空間のうち、その外周端部には該外周端部に沿ってスペーサ２６ａ〜２６ｄが配置されている。スペーサ２６ａ〜２６ｄは、シール部材を備え、これにより、２枚の板ガラスを一体に保持して水密気密を得ることができる。また、スペーサ２６ａ〜２６ｄに乾燥剤を含ませれば、空間内側を適切な湿度に保つことも可能となる。
【００３３】
＜障子３０＞
障子３０は、内障子であり、上横框３１、下横框３２、戸先框３３、内召し合わせ框３４、ガラスパネル３５、スペーサ３６ａ〜３６ｄ、及び引手３７を有している。図３、４に示されるように、障子３０は、障子２０とほぼ同様の構成を有するため、説明を省略する。但し、障子３０においても、上記障子２０と同様、框（上横框３１、下横框３２、戸先框３３、内召し合わせ框３４）のコ字状被覆片３１ｃ〜３４ｃにガラスパネル３５が接着剤等の接着手段３８により直接接着されている。框とガラスパネル３５とを直接接着することで、框の見付け幅を縮小でき、ガラスパネル３５の採光面積を拡大することができる。さらに、好ましくは、障子２０、３０のすべての框とガラスパネルとを直接接着する形態とすることで、開口部装置１００全体としての採光面積に与える影響が極めて大きくなるとともに、開口部装置１００全体の外観視が極めてシンプルとなるため、従来よりも採光性に優れ、且つ外観にも優れる開口部装置１００とすることができる。
【００３４】
＜縦枠カバー７０の詳細＞
図５、６を参照しつつ、縦枠カバー７０の構成、及び縦枠カバー７０の取り付けについて詳述する。縦枠カバー７０には、見込み方向に延びる被覆片７０ａが備えられている。当該片７０ａの見込み方向室内側端部には室内側片７０ｂが、見込み方向室外側端部には室外側片７０ｃが、見付け方向外側に向かって延びている。また、被覆片７０ａの、室内側片７０ｂと室外側片７０ｃとの間には、見付け方向外側に向かって片７０ｅが設けられている。
【００３５】
室内側片７０ｂの見付け方向外側端部には、爪部７０ｄが設けられており、室内側樹脂縦枠５０の突起５０ｄに爪部７０ｄを掛止して、縦枠カバー７０の見込み方向室内側が固定される。一方、室外側片７０ｃの見付け方向外側端部には、被係合片７０ｆが設けられており、当該被係合片７０ｆの見込み方向室内側面には突起が設けられている。また、室外側片７０ｃと被係合片７０ｆとの間からは、見込み方向室内側に向かって片７０ｇが立設されており、その先端部が見付け方向外側に折り曲げられている。先端部が折り曲げられた片７０ｇの見付け方向外側端部には、被係合片７０ｈが設けられており、当該被係合片７０ｈの見込み方向室外側面には突起が設けられている。これら被係合片７０ｆ、７０ｈ、及び片７０ｇによって形成される凹部が被係合部７０ｋとされ、ここに縦枠１４の係合片１４ｆが挿入されて、縦枠カバー７０が縦枠１４へと固定される。さらに、片７０ｇ及び被係合片７０ｈと、片７０ｅとを渡すように、片７０ｊが設けられており、縦枠カバー７０の強度を向上させている。これら各片により縦枠カバー７０が構成されている。縦枠カバー７０の材質としては、下記のように断熱性を確保する観点から、断熱性に優れた材料、例えば樹脂であることが好ましい。以下、縦枠カバー７０の縦枠１４及び室内側樹脂縦枠５０への取り付け方法について、図６を参照しつつ詳述する。
【００３６】
図６（ａ）に示すように、まず、縦枠１４の係合片１４ｆを、縦枠カバー７０の被係合部７０ｋへと挿入して、縦枠カバー７０の縁を引っ掛ける。このとき、縦枠カバー７０は、係合片１４ｆを軸として縦枠１４に保持されたまま回動可能とされる。従って、縦枠カバー７０は、回動時においても、縦枠１４から容易に外れることがない。そして、縦枠カバー７０の爪部７０ｄを見付け方向外側に向かうように（図６（ａ）の矢印方向）、縦枠カバー７０を室内側樹脂縦枠５０の突起５０ｄと対応する位置まで回動させることで、縦枠カバー７０の室内側片７０ｂが固定される（図６（ｂ）の状態）。従って、縦枠カバー７０を、被係合部７０ｋと爪部７０ｄとの少なくとも二か所でもって、縦枠１４又は室内側樹脂縦枠５０へと固定することができ、簡易な構成で確実な固定が可能とされている。
【００３７】
このとき、縦枠カバー７０の室外側片７０ｃは、開口部装置１００閉鎖の姿勢で、戸先框２３よりも見付け方向内側に延びている（図４参照。）。従って、戸先框２３を室内視で隠蔽することができる。また、戸先框２３を介しての室内外の熱伝達が抑えられるので、断熱性を向上させることができる。一方、縦枠カバー７０の被覆片７０ａは見込み方向室内側に延びて固定部材６０を覆い隠しており、室内視で固定部材６０が露出していない。以上のことから、縦枠カバー７０によれば、戸先框２３を隠蔽することにより意匠性、及び断熱性を向上させることができ、且つ、固定部材６０を隠蔽することにより、さらに意匠性を向上させることができる。
【００３８】
従来の開口部装置とした場合と、本発明にかかる開口部装置１００とした場合とで、縦枠１４部分の外観視を比較する。図７は、縦枠１４部分の見込み面を概略的に表す図であり、召し合わせ側から戸先側に向かって縦枠１４を見た場合における室内視正面図である。図７（ａ）に示すように、従来においては、縦枠１４、室内側樹脂縦枠５０、及び被覆部材７０’を有する構成とされており、被覆部材７０’を用いて固定部材６０を隠蔽していたため、縦枠長手方向に沿って、直線Ｌが複数表れることとなり、これが外観に悪影響を及ぼしていた。これに対して、図７（ｂ）に示すように、縦枠カバー７０を用いることで、室内視で確認される直線Ｌの数を減少させることができる。従って、縦枠カバー７０によれば、外観視で確認される不要な線を減少させることで、上記に加えてさらに意匠性を向上させることができる。
【００３９】
縦枠カバー７０の取り外しについては、図８に示すように、取り付けと同様に縦枠１４の係合片１４ｆを回動軸として、被覆片７０ａを、見付け方向内側であって見込み方向室外側に動くように、縦枠カバー７０を係合片１４ｆに保持されたまま回動させることによってなされ得る。このようにすれば、開口部装置１００の施工時や、固定部材６０の締め直し、又は室内側樹脂縦枠５０の交換等、縦枠カバー７０内部のメンテナンス時において、縦枠カバー７０を完全に取り外すことなく、縦枠カバー７０を引っ掛けた状態で作業を行うことができる。特に、図８（ｂ）に示されるように、縦枠１４の係合片１４ｆを軸とする縦枠カバー７０の回動が、縦枠カバー７０の室外側片７０ｃの室外側面が縦枠１４の片１４ｃに接触するまで可能とされて、縦枠カバー７０の回転の行き過ぎが防止されるとともに、当該片１４ｃと室外側片７０ｃの室外側面が接触している姿勢においても、係合片１４ｆに被係合部７０ｋが係合された状態にあることが好ましい。このようにすれば、縦枠カバー７０の取り外し時に、回転の行き過ぎ等によって、縦枠カバー７０が容易に脱落してしまうことがなく、現場作業時に、部材を紛失する虞がない。
【００４０】
以上より、本発明によれば、簡易な構造で断熱性を向上させることができ、外観にも優れ、部材紛失の虞がない開口部装置１００を提供することができる。
【００４１】
また、上記説明においては、縦枠カバー７０が被係合部７０ｋを有し、ここを軸に回動可能に取り付けられる形態について説明したが、本発明はこれに限定されない。固定部材６０と戸先框２３とを効果的に隠蔽することが可能な形態であれば、本発明に適用することができる。但し、部材の紛失を防止するとともに、簡易な構成で縦枠カバー７０を取り付けることができる観点から、縦枠カバー７０が回動可能に取り付けられる形態が好ましい。
【００４２】
また、上記説明においては、開口部装置１００閉鎖の姿勢で、縦枠カバー７０の室外側片７０ｃが戸先框２３よりも見付け方向内側まで延びている形態について説明したが、本発明はこれに限定されない。縦枠カバー７０により戸先框２３の少なくとも一部が室内視で隠蔽されていれば、開口部装置１００の断熱性を向上させることができる。ただし、意匠性、断熱性をさらに向上させる観点からは、開口部装置１００閉鎖の姿勢で、縦枠カバー７０の室外側片７０ｃが戸先框２３よりも見付け方向内側まで延びている形態が好ましい。
【００４３】
また、上記説明においては、室内側樹脂縦枠５０が固定部材６０により固定された形態について説明したが、本発明はこれに限定されない。例えば、縦枠１４が固定部材６０により固定され、且つ、室内側樹脂縦枠５０が別の固定部材により固定された形態において、固定部材６０と別の固定部材との双方を、縦枠カバー７０により隠蔽可能とされた形態であってもよい。但し、部材数を減らして隠蔽必要な箇所を減らし、且つ、製造コストを抑える観点から、一の固定部材６０により、室内側樹脂縦枠５０の固定と縦枠１４の固定とを兼用することが好ましい。
【００４４】
尚、上記説明においては、ガラスパネル２５、３５と框２１〜２４、３１〜３４とが、接着手段により接着される形態について説明したが、本発明はこれに限定されない。但し、採光性及び断熱性に優れる開口部装置とする観点から、ガラスパネル２５、３５と框２１〜２４、３１〜３４とが、接着手段により接着された開口部装置１００とすることが好ましい。
【００４５】
また、上記説明においては、開口部装置１００をいわゆる引き違いの引き戸として説明したが、本発明はこれに限定されない。室内視で固定部材と框とを隠蔽可能な構成を有する開口部装置であれば特に限定されず、本発明を適用することができる。
【００４６】
以上、現時点において最も実践的であり、かつ好ましいと思われる実施形態に関連して本発明を説明したが、本発明は、本願明細書中に開示された実施形態に限定されるものではなく、特許請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【符号の説明】
【００４７】
１０            枠体
１１            上横枠
１２            下横枠
１４、１５        縦枠
２０            障子
２１            上横框
２２            下横框
２３            戸先框
２４            外召し合わせ框
２５            ガラスパネル
２６            スペーサ
２７            引手
２８            接着手段
３０            障子
４０            施錠装置
５０、５１        室内側樹脂縦枠
６０            固定手段
７０            縦枠カバー
１００            開口部装置
【図１】
2010270525.tif 000003
【図２】
2010270525.tif 000004
【図３】
2010270525.tif 000005
【図４】
2010270525.tif 000006
【図５】
2010270525.tif 000007
【図６】
2010270525.tif 000008
【図７】
2010270525.tif 000009
【図８】
2010270525.tif 000010